(57)【特許請求の範囲】
【請求項１】
紙書籍とデジタルコンテンツとの対応関係を生成する紙書籍・デジタルコンテンツ対応関係生成装置であって、
通信ネットワークを介して通信可能なユーザ端末から、紙書籍の纏めページの表示要求を受け付けたことに応じて、紙書籍の識別コードを記憶した紙書籍管理データベースから前記紙書籍の識別コードを読み出して纏めページのタイトル情報として表示する纏めページを生成する纏めページ生成手段と、
前記ユーザ端末から、前記纏めページに表示された前記タイトル情報の選択を受け付けたことに応じて、対応する紙書籍に関連するデジタルコンテンツを示すＵＲＬの入力を受け付ける投稿ページを生成する投稿ページ生成手段と、
前記ユーザ端末から、前記投稿ページを介して前記ＵＲＬの投稿を受け付けたことに応じて、紙書籍とデジタルコンテンツとの対応関係を記憶する関連コンテンツ管理データベースに、前記紙書籍の識別コードと対応付けて前記ＵＲＬを記憶する関連付け手段と、
を備え、
前記纏めページ生成手段は、前記纏めページとして、前記タイトル情報として表示される前記紙書籍の識別コードに対応するＵＲＬを前記関連コンテンツ管理データベースから読み出し、当該タイトル情報に対応付けて前記ＵＲＬを表示し、当該ＵＲＬに複数の紙書籍の識別コードに対応付けられている場合は当該ＵＲＬが対応付けられた他の紙書籍のタイトル情報へのリンクをさらに表示する纏めページを生成する、紙書籍・デジタルコンテンツ対応関係生成装置。
【請求項２】
前記纏めページ生成手段は、前記タイトル情報を親ノードとし対応する前記ＵＲＬを子ノードとするツリー構造である、請求項１に記載の紙書籍・デジタルコンテンツ対応関係生成装置。
【請求項３】
前記纏めページ生成手段は、複数の紙書籍の識別コードに対応するＵＲＬについて、当該複数の紙書籍の関係付けを行うメニュー情報を含む纏めページを生成する、請求項１又は２に記載の紙書籍・デジタルコンテンツ対応関係生成装置。
【請求項４】
紙書籍とデジタルコンテンツとの対応関係を生成する紙書籍・デジタルコンテンツ対応関係生成装置が実行する、
通信ネットワークを介して通信可能なユーザ端末から、紙書籍の纏めページの表示要求を受け付けたことに応じて、紙書籍の識別コードを記憶した紙書籍管理データベースから前記紙書籍の識別コードを読み出して纏めページのタイトル情報として表示する纏めページを生成する纏めステップと、
前記ユーザ端末から、前記纏めページに表示された前記タイトル情報の選択を受け付けたことに応じて、対応する紙書籍に関連するデジタルコンテンツを示すＵＲＬの入力を受け付ける投稿ページを生成するステップと、
前記ユーザ端末から、前記投稿ページを介して前記ＵＲＬの投稿を受け付けたことに応じて、紙書籍とデジタルコンテンツとの対応関係を記憶する関連コンテンツ管理データベースに、前記紙書籍の識別コードと対応付けて前記ＵＲＬを記憶するステップと、
前記纏めページとして、前記タイトル情報として表示される前記紙書籍の識別コードに対応するＵＲＬを前記関連コンテンツ管理データベースから読み出し、当該タイトル情報に対応付けて前記ＵＲＬを表示し、当該ＵＲＬに複数の紙書籍の識別コードに対応付けられている場合は当該ＵＲＬが対応付けられた他の紙書籍のタイトル情報へのリンクをさらに表示する纏めページを生成するステップと、
を含む方法。
【発明の詳細な説明】
【技術分野】
【０００１】
本発明は、纏めページにより紙書籍とデジタルコンテンツとの対応関係を生成する紙書籍・デジタルコンテンツ対応関係生成装置及び方法に関する。
【背景技術】
【０００２】
紙を媒体とする書籍に対応付けて他の媒体によるコンテンツが作成されるとともに、作成されたコンテンツをデジタルコンテンツとして電子的に管理することが一般的に行われている。例えば、小説を基に作成したドラマをデジタルコンテンツとして管理し、ネットワーク上で適宜公開するサービスがある。
【０００３】
これら紙書籍の管理者（出版社）とデジタルコンテンツの管理者（インターネット事業者）とは異なる場合が多々あり、現在において紙書籍とデジタルコンテンツとの対応関係は、適切に管理されていない。そのため、紙書籍を閲覧したユーザが対応するデジタルコンテンツを望んだ場合や、反対にデジタルコンテンツを閲覧したユーザが対応する紙書籍を望んだ場合に、当該ユーザは所望の情報を早期に見つけることができないという問題があった。
【０００４】
ところで、近年、ネットワーク上のユーザが自らの有する知識を投稿することで内容を生成していくＣＧＭ（コンシューマ・ジェネレイテッド・メディア）と呼ばれるサービスが注目されている。ＣＧＭサービスとしては、クチコミ評価サービスや質問回答型サービスなどがあげられ、例えば、質問回答型サービスとして、非特許文献１のようなサービスが知られている。
非特許文献１のサービスによれば、ユーザの疑問や知りたいことを投稿として受け付けて公開し、公開された質問に対する回答を他のユーザから受け付けることで、投稿者を含むユーザ同士が相互に知恵や知識を教え合うことができる。
【先行技術文献】
【非特許文献】
【０００５】
【非特許文献１】ヤフージャパン株式会社、「Ｙａｈｏｏ！知恵袋」[online]、平成２２年、［平成２２年１２月９日検索］、インターネット、<URL:http://chiebukuro.yahoo.co.jp/>
【発明の概要】
【発明が解決しようとする課題】
【０００６】
しかしながら、非特許文献１のようなサービスでは、紙書籍に対応するデジタルコンテンツを望んだ場合、他のユーザからの回答を待たなければならず、また、紙書籍とデジタルコンテンツとの対応関係の一覧性に欠けてしまう。
【０００７】
ところで、非特許文献１を一例とするＣＧＭサービスでは、ユーザが自己の持っている知識を利用して他人の役に立ちたいという願望に基づいてユーザからの積極的な投稿が行われている。
【０００８】
そこで、本発明は、このようなＣＧＭサービスの特性を活用して、紙書籍とデジタルコンテンツとの対応関係を生成する紙書籍・デジタルコンテンツ対応関係生成装置及び方法を提供することを目的とする。
【課題を解決するための手段】
【０００９】
（１）  紙書籍とデジタルコンテンツとの対応関係を生成する紙書籍・デジタルコンテンツ対応関係生成装置であって、通信ネットワークを介して通信可能なユーザ端末から、紙書籍の纏めページの表示要求を受け付けたことに応じて、紙書籍の識別コードを記憶した紙書籍管理データベースから前記紙書籍の識別コードを読み出して纏めページのタイトル情報として表示する纏めページを生成する纏めページ生成手段と、前記ユーザ端末から、前記纏めページに表示された前記タイトル情報の選択を受け付けたことに応じて、対応する紙書籍に関連するデジタルコンテンツを示すＵＲＬの入力を受け付ける投稿ページを生成する投稿ページ生成手段と、前記ユーザ端末から、前記投稿ページを介して前記ＵＲＬの投稿を受け付けたことに応じて、紙書籍とデジタルコンテンツとの対応関係を記憶する関連コンテンツ管理データベースに、前記紙書籍の識別コードと対応付けて前記ＵＲＬを記憶する関連付け手段と、を備え、前記纏めページ生成手段は、前記纏めページとして、前記タイトル情報として表示される前記紙書籍の識別コードに対応するＵＲＬを前記関連コンテンツ管理データベースから読み出し、当該タイトル情報に対応付けて前記ＵＲＬを表示する纏めページを生成する、紙書籍・デジタルコンテンツ対応関係生成装置。
【００１０】
（１）の紙書籍・デジタルコンテンツ対応関係生成装置によれば、紙書籍の識別コード（例えば、ＩＳＢＮコードや雑誌コード）をタイトルとして、この紙書籍に対応するデジタルコンテンツが存在するＵＲＬをユーザ端末から受け付ける。これにより、紙書籍に対応するデジタルコンテンツを自動的に収集することができる。そして、紙書籍とデジタルコンテンツとを対応付けた纏めページを生成する。これにより、紙書籍とデジタルコンテンツとの対応関係を生成し、一覧性を有する纏めページをユーザに提供することができる。その結果、紙書籍を閲覧したユーザが対応するデジタルコンテンツを望んだ場合や、反対にデジタルコンテンツを閲覧したユーザが対応する紙書籍を望んだ場合に、ユーザが所望する情報（紙書籍、デジタルコンテンツ）を早期に提供することができ、紙書籍やデジタルコンテンツの新たな流通を生み出すことができる。
【００１１】
（２）  前記纏めページ生成手段は、前記タイトル情報を親ノードとし対応する前記ＵＲＬを子ノードとするツリー構造である、（１）に記載の紙書籍・デジタルコンテンツ対応関係生成装置。
【００１２】
（２）の紙書籍・デジタルコンテンツ対応関係生成装置によれば、紙書籍とデジタルコンテンツとの対応関係をツリー構造で表現するため、ユーザは、対応関係を容易に把握することができる。
【００１３】
（３）  前記纏めページ生成手段は、複数の紙書籍の識別コードに対応するＵＲＬについて、当該複数の紙書籍の関係付けを行うメニュー情報を含む纏めページを生成する、（１）又は（２）に記載の紙書籍・デジタルコンテンツ対応関係生成装置。
【００１４】
（３）の紙書籍・デジタルコンテンツ対応関係生成装置によれば、デジタルコンテンツに対応する紙書籍が複数存在する場合には、纏めページにおいて両紙書籍の関連付けが行われる。これにより、紙書籍から他の紙書籍へとユーザを促すことができ、他の紙書籍について新たな流通を促すことができる。
【００１５】
（４）  紙書籍とデジタルコンテンツとの対応関係を生成する紙書籍・デジタルコンテンツ対応関係生成装置が実行する、通信ネットワークを介して通信可能なユーザ端末から、紙書籍の纏めページの表示要求を受け付けたことに応じて、紙書籍の識別コードを記憶した紙書籍管理データベースから前記紙書籍の識別コードを読み出して纏めページのタイトル情報として表示する纏めページを生成する纏めステップと、前記ユーザ端末から、前記纏めページに表示された前記タイトル情報の選択を受け付けたことに応じて、対応する紙書籍に関連するデジタルコンテンツを示すＵＲＬの入力を受け付ける投稿ページを生成するステップと、前記ユーザ端末から、前記投稿ページを介して前記ＵＲＬの投稿を受け付けたことに応じて、紙書籍とデジタルコンテンツとの対応関係を記憶する関連コンテンツ管理データベースに、前記紙書籍の識別コードと対応付けて前記ＵＲＬを記憶するステップと、前記纏めページとして、前記タイトル情報として表示される前記紙書籍の識別コードに対応するＵＲＬを前記関連コンテンツ管理データベースから読み出し、当該タイトル情報に対応付けて前記ＵＲＬを表示する纏めページを生成するステップと、を含む方法。
【００１６】
（４）の方法によれば、（１）の紙書籍・デジタルコンテンツ対応関係生成装置と同様の効果を奏する。
【発明の効果】
【００１７】
本発明によれば、紙書籍とデジタルコンテンツとの対応関係を示す纏めページをユーザに対して提供することができる。
【図面の簡単な説明】
【００１８】
【図１】本発明の紙書籍・デジタルコンテンツ対応関係生成装置を示す図である。
【図２】紙書籍管理データベースを示す図である。
【図３】関連コンテンツ管理データベースを示す図である。
【図４】纏めページの画面構成を示す図である。
【図５】投稿ページの画面構成を示す図である。
【図６】纏めページの画面構成を示す図である。
【図７】紙書籍・デジタルコンテンツ対応関係生成装置の処理の流れを示すフローチャートである。
【発明を実施するための形態】
【００１９】
以下、本発明の実施形態について図面を参照して説明する。
【００２０】
［紙書籍・デジタルコンテンツ対応関係生成装置１の構成］
初めに、図１を参照して、本発明の紙書籍・デジタルコンテンツ対応関係生成装置１の構成について説明する。紙書籍・デジタルコンテンツ対応関係生成装置１は、要求受付部２と、ページ生成部３と、ページ送信部４と、記憶部５と、を含んで構成され、通信ネットワーク６を介してユーザ端末７と通信可能に接続される。
ここで、通信ネットワーク６は、好適にはインターネットなどの広域ネットワークである。また、ユーザ端末７は、携帯電話又はネットワーク接続可能なパーソナル・コンピュータなどであり、典型的には、ブラウザを動作させてウェブ・ページにアクセスすることが可能な端末装置である。
【００２１】
＜要求受付部２＞
要求受付部２は、通信ネットワーク６を介してユーザ端末７から送信される要求を受け付けるため、纏めページ要求受付手段２１と、投稿ページ要求受付手段２２と、投稿内容受付手段２３と、を含む。
【００２２】
纏めページ要求受付手段２１は、ユーザ端末７から紙書籍の纏めページの表示要求を受け付ける。ここで、纏めページは、紙書籍に関連するデジタルコンテンツの一覧（ツリー構造）を複数の紙書籍ごとに表示するウェブ・ページであり、その詳細については、図４で後述する。
【００２３】
投稿ページ要求受付手段２２は、ユーザ端末７から投稿ページの表示要求を受け付ける。ここで、投稿ページは、紙書籍に関連するデジタルコンテンツの所在を示すＵＲＬの入力を受け付けるためのウェブ・ページであり、その詳細については、図５で後述する。また、投稿ページの表示要求とは、纏めページに表示された複数の紙書籍を識別する情報のうち、１の紙書籍を識別する情報を選択することをいう。
【００２４】
投稿内容受付手段２３は、投稿ページを介してユーザ端末７から受け付けた入力（投稿内容）を受け付ける。ここで、投稿内容受付手段２３は、投稿ページに対応する紙書籍に関連するデジタルコンテンツの所在を示すＵＲＬ及び当該デジタルコンテンツの内容を示すリンクタイトルなどを、投稿内容として受け付ける。なお、紙書籍と関連するデジタルコンテンツは、投稿を行うユーザが関連すると判断したデジタルコンテンツである。
【００２５】
要求受付部２（纏めページ要求受付手段２１、投稿ページ要求受付手段２２、投稿内容受付手段２３）は、ユーザ端末７から受け付けた所定の要求をページ生成部３へ提供する。
【００２６】
＜ページ生成部３＞
ページ生成部３は、要求受付部２が受け付けたユーザ端末７からの要求に基づいてウェブ・ページを生成するため、纏めページ生成手段３１と、投稿ページ生成手段３２と、関連付け手段３３と、を含む。
【００２７】
纏めページ生成手段３１は、纏めページ要求受付手段２１が受け付けた纏めページの表示要求に応じて、紙書籍の識別コード（例えば、ＩＳＢＮコードや雑誌コード）を記憶した図２に示す紙書籍管理データベース５１から紙書籍の識別コードを読み出して纏めページを生成する。また、後述するように、纏めページ生成手段３１は、投稿内容受付手段２３が投稿ページを解して受け付けた投稿内容に基づいて（関連コンテンツ管理データベース５２（図３）から所定の情報を読み出して）纏めページを更新する。
【００２８】
投稿ページ生成手段３２は、投稿ページ要求受付手段２２が受け付けた投稿ページの表示要求に応じて、投稿ページを生成する。ここで、投稿ページ生成手段３２は、纏めページに表示された複数の紙書籍のうちユーザ（ユーザ端末７）に選択された１の紙書籍に関連するデジタルコンテンツの所在を示すＵＲＬの入力を受け付けるための投稿ページを生成する。
【００２９】
関連付け手段３３は、投稿内容受付手段２３が投稿ページを介して受け付けた投稿内容を当該投稿ページに対応する紙書籍にと対応付けて関連コンテンツ管理データベース５２（図３）に記憶する。
【００３０】
ページ生成部３（纏めページ生成手段３１、投稿ページ生成手段３２、関連付け手段３３）は、生成したウェブ・ページ（纏めページ、投稿ページ）をページ送信部４へ提供する。なお、ページ生成部３により生成されたウェブ・ページの詳細は、図４〜図６で後述する。
【００３１】
＜ページ送信部４＞
ページ送信部４は、ページ生成部３が生成したウェブ・ページをユーザ端末７に送信するため、纏めページ送信手段４１と、投稿ページ送信手段４２と、を含む。
【００３２】
纏めページ送信手段４１は、纏めページ生成手段３１が生成した纏めページをユーザ端末７に対して送信する。
投稿ページ送信手段４２は、投稿ページ生成手段３２が生成した投稿ページをユーザ端末７に対して送信する。
これにより、纏めページの表示要求を行ったユーザ端末７には、纏めページが送信され、表示される。また、投稿ページの表示要求を行ったユーザ端末７には、投稿ページが送信され、表示される。
【００３３】
＜記憶部５＞
記憶部５は、各種データを記憶し、纏めページ及び投稿ページを生成するために、紙書籍管理データベース５１と、関連コンテンツ管理データベース５２と、を含む。
【００３４】
紙書籍管理データベース５１は、デジタルコンテンツとの対応関係を生成する紙書籍を管理するためのデータベースであって、図２に示すように、紙書籍を識別する書籍識別コード（ＩＳＢＮコードや雑誌コード）に対応付けて、書籍名や著作者名などの各種情報を記憶する。
【００３５】
関連コンテンツ管理データベース５２は、図３に示すように、紙書籍管理データベース５１に記憶された紙書籍（書籍識別コード）ごとにユーザ端末７から投稿された投稿内容を管理するためのデータベースである。ここで、関連コンテンツ管理データベース５２は、紙書籍に関連するとしてユーザ端末７から投稿されたデジタルコンテンツのＵＲＬ、デジタルコンテンツの内容としてユーザ端末７から投稿されたリンクタイトル、及び紙書籍とデジタルコンテンツとの関係性としてユーザ端末７から投稿された関係性などの各種情報を、投稿内容として記憶する。
【００３６】
［紙書籍・デジタルコンテンツ対応関係生成装置１のハードウェア構成］
以上説明した紙書籍・デジタルコンテンツ対応関係生成装置１のハードウェアは、１又は複数の一般的なコンピュータによって構成することができる。一般的なコンピュータは、例えば、制御部として、中央処理装置（ＣＰＵ）を備える他、記憶部として、メモリ（ＲＡＭ、ＲＯＭ）、ハードディスク（ＨＤＤ）及び光ディスク（ＣＤ、ＤＶＤなど）を、ネットワーク通信装置として、各種有線及び無線ＬＡＮ装置を、表示装置として、例えば、液晶ディスプレイ、プラズマディスプレイなどの各種ディスプレイを、入力装置として、例えば、キーボード及びポインティング・デバイス（マウス、トラッキングボールなど）を適宜備え、これらは、バスラインにより接続されている。このような一般的なコンピュータにおいて、ＣＰＵは、紙書籍・デジタルコンテンツ対応関係生成装置１を統括的に制御し、各種プログラムを適宜読み出して実行することにより、上述したハードウェアと協働し、本発明に係る各種機能を実現している。
【００３７】
［紙書籍・デジタルコンテンツ対応関係生成装置１が生成する纏めページ及び投稿ページ］
続いて、図４〜図６を参照して、纏めページ及び投稿ページの構成について説明するとともに、ページ生成部３による纏めページ及び投稿ページの生成の詳細について説明する。
【００３８】
＜纏めページ１００＞
初めに、図４を参照して、纏めページの構成について説明する。図４は、纏めページの一例である纏めページ１００を示す図である。
纏めページ１００は、タイトル情報１１０及び１２０を含むとともに、これらタイトル情報１１０及び１２０に対応付けてユーザ端末７から投稿されたデジタルコンテンツの所在を示すＵＲＬのリンク情報１１１を含む。
【００３９】
タイトル情報１１０，１２０は、紙書籍を識別するための情報であり、例えば、紙書籍のタイトル、紙書籍のＩＳＢＮコード又は紙書籍の画像などを用いることができる。リンク情報１１１は、紙書籍に関連するとしてユーザ端末７から投稿されたデジタルコンテンツへのリンク情報である。デジタルコンテンツへのリンク情報としては、デジタルコンテンツのＵＲＬやデジタルコンテンツへリンクが張られたアンカーテキスト（例えば、図３のリンクタイトル）を用いることができる。すなわち、「タイトル情報に対応付けてＵＲＬを表示する」とは、タイトル情報にＵＲＬの文字列を対応付けて表示することに加え、当該ＵＲＬをリンク先として設定するアンカーテキストをタイトル情報に対応付けて表示することを含む。
【００４０】
また、纏めページ１００では、タイトル情報１１０とリンク情報１１１とをツリー構造で表示、より具体的には、タイトル情報１１０を親ノードとし、対応するリンク情報１１１を子ノードとするツリー構造で表示する。図４では、タイトル情報１１０（小説ＡＢＣ）の子ノードとして、ユーザ端末７から投稿されたデジタルコンテンツのリンク情報１１１（小説ＡＢＣの電子書籍のＵＲＬ１及び小説ＡＢＣを元にしたドラマの動画コンテンツのＵＲＬ２）を表示している。
【００４１】
また、纏めページ１００は、タイトル情報の子ノードとして表示するリンク情報の関係性を選択するための関係性選択部１３０を含む。
【００４２】
後述するように、本実施形態では、紙書籍（タイトル情報）に関連するとしてユーザ端末７からデジタルコンテンツの投稿を受け付ける際に、当該デジタルコンテンツと紙書籍との関係性の選択も併せて受け付けることとしている。纏めページ１００では、関係性選択部１３０で選択された関係性を有するデジタルコンテンツのリンク情報のみが、タイトル情報の子ノードとして表示される。
図４では、関係性選択部１３０において「全て」が選択されていることから、関係性に関わらず全てのリンク情報１１１がタイトル情報１１０の子ノードとして表示されているが、例えば、関係性選択部１３０において「電子書籍」が選択されていた場合には、タイトル情報１１０（小説ＡＢＣ）の電子書籍である「ＵＲＬ１」のみが子ノードとして表示され、ドラマの動画コンテンツである「ＵＲＬ２」は子ノードとして表示されない。
なお、関係性選択部１３０による表示するリンク情報の関係性の選択は、纏めページ１００全体で選択可能としてもよく、タイトル情報１１０、１２０ごとに選択可能としてもよい。
【００４３】
＜投稿ページ２００＞
続いて、図５を参照して、投稿ページの構成について説明する。図５は、投稿ページの一例である投稿ページ２００を示す図である。
投稿ページ２００は、タイトル情報２１０、デジタルコンテンツ投稿欄２２０及び操作ボタン２３０を含む。
【００４４】
タイトル情報２１０とは、ユーザ端末７がデジタルコンテンツのＵＲＬを投稿する対象となる紙書籍を識別するための情報であり、例えば、紙書籍のタイトル、紙書籍のＩＳＢＮコード又は紙書籍の画像などを用いることができる。
デジタルコンテンツ投稿欄２２０は、ユーザ端末７がタイトル情報２１０（紙書籍）に対応するデジタルコンテンツであるとして投稿する際の情報入力欄である。本実施形態では、デジタルコンテンツ投稿欄２２０として、デジタルコンテンツの内容を示すリンクタイトル及びデジタルコンテンツの所在を示すＵＲＬの入力を受け付ける入力欄に加え、紙書籍とデジタルコンテンツとの関係性の選択を受け付ける選択欄やデジタルコンテンツを識別する情報（例えば、楽曲コード）の入力を受け付ける入力欄などを設けることとしている。デジタルコンテンツ投稿欄２２０に入力された情報に基づいて、纏めページ１００に表示されるリンク情報１１１が更新される。
操作ボタン２３０は、デジタルコンテンツ投稿欄２２０の入力情報に基づく投稿要求を行うための操作ボタンである。
【００４５】
＜ページ生成部３による纏めページ１００及び投稿ページ２００の生成＞
続いて、図４〜図６を参照して、ページ生成部３による纏めページ及び投稿ページの生成の詳細について説明する。
【００４６】
図４を参照して、ユーザ端末７から纏めページ１００の表示要求（例えば、纏めページ１００のＵＲＬを指定する表示要求）を受け付けると、纏めページ生成手段３１は、紙書籍管理データベース５１（図２）から対応する紙書籍を識別する情報（ＩＳＢＮや小説名など）を取得するとともに、取得した紙書籍に対応付けられて記憶されている投稿内容（ＵＲＬ、リンクタイトル、関係性など）を関連コンテンツ管理データベース５２（図３）から取得する。
ここで、図４の表示時において、関連コンテンツ管理データベース５２には、「小説ＡＢＣ」に対応付けられて投稿内容５２１（「ＵＲＬ１」）及び投稿内容５２２（「ＵＲＬ２」）のみが記憶されているものとする（図３（１））。
【００４７】
纏めページ生成手段３１は、紙書籍管理データベース５１から取得した紙書籍を識別する情報をタイトル情報とし、関連コンテンツ管理データベース５２から取得した投稿内容５２１，５２２をリンク情報とする纏めページを生成する。このとき、纏めページ生成手段３１は、タイトル情報を親ノードとし、リンク情報を子ノードとするツリー構造で纏めページを生成する。
図４では、纏めページ生成手段３１は、紙書籍管理データベース５１から取得した「小説ＡＢＣ」を識別する情報をタイトル情報１１０とし、この「小説ＡＢＣ」に対応付する投稿内容として関連コンテンツ管理データベース５２から取得した投稿内容５２１（「ＵＲＬ１」）及び投稿内容５２２（「ＵＲＬ２」）をリンク情報１１１として表示する纏めページ１００を生成している。
ここで、纏めページ生成手段３１は、関係性選択部１３０においてタイトル情報１１０の子ノードとして表示するリンク情報１１１の関係性が特定されている場合には、関連コンテンツ管理データベース５２に記憶された関係性に基づいて、特定されている関係性のデジタルコンテンツのみをリンク情報１１１として表示する纏めページを生成する。
【００４８】
纏めページ生成手段３１により生成された纏めページ１００は、纏めページ送信手段４１によりユーザ端末７に送信され、ユーザ端末７で表示される。このとき、ユーザ端末７においてタイトル情報（１１０，１２０）が選択されると、選択されたタイトル情報（紙書籍）に関連するデジタルコンテンツの投稿が可能になる。すなわち、纏めページ１００におけるタイトル情報（１１０，１２０）の選択により、投稿ページ２００の表示要求がなされる。
【００４９】
投稿ページ２００の投稿要求を受け付けると、投稿ページ生成手段３２は、選択されたタイトル情報に対するデジタルコンテンツの投稿を行うための投稿ページ２００を生成する。
例えば、図４において、「小説ＡＢＣ」を識別するタイトル情報１１０が選択された場合には、投稿ページ生成手段３２は、図５に示す「小説ＡＢＣ」のデジタルコンテンツの投稿を行うための投稿ページ２００を生成する。
【００５０】
その後、投稿ページ２００のデジタルコンテンツ投稿欄２２０において所定の情報が入力され、操作ボタン２３０（投稿ボタン）が操作されると、ユーザ端末７から入力情報の投稿要求がなされる。そして、この投稿要求を投稿内容受付手段２３が受け付けると、関連付け手段３３は、受け付けた投稿内容に基づいて、関連コンテンツ管理データベース５２を更新する。
図５では、「小説ＡＢＣ」のデジタルコンテンツとして、リンクタイトル「ドラマの挿入曲」、ＵＲＬ「ＵＲＬ２」、関係性「関連楽曲」などの情報が投稿されている。そこで、関連付け手段３３は、受け付けた情報に対応する投稿内容５２３（図３（１））を関連コンテンツ管理データベース５２に新たに記憶する。
【００５１】
ユーザ端末７から受け付けた投稿内容５２３により関連コンテンツ管理データベース５２が更新されたため、纏めページ生成手段３１は、タイトル情報１１０（「小説ＡＢＣ」）の子ノードとして、投稿内容５２３に対応するリンク情報１１２を追加した纏めページ１００（図６）を生成する。
【００５２】
このように、本実施形態では、纏めページ１００でタイトル情報１１０に対応付けてリンク情報１１１を表示するとともに、纏めページ１００においてタイトル情報１１０が選択されるとタイトル情報１１０についてのデジタルコンテンツの投稿を受け付ける投稿ページ２００を表示する。そして、その後、投稿ページ２００において新たな投稿が行われると、纏めページ１００が更新され、タイトル情報１１０（紙書籍）に関連するデジタルコンテンツが逐次追加されることになる。
【００５３】
ここで、デジタルコンテンツによっては、複数の紙書籍に関連する場合がある。図３（１）及び（２）を参照して、「小説ＡＢＣ」に対応付けられて記憶されたデジタルコンテンツ「ドラマの挿入曲」と、「小説ＸＹＺ」に対応付けられて記憶されたデジタルコンテンツ「映画の挿入曲」とが、同一のデジタルコンテンツであるとする。このような場合、纏めページ生成手段３１は、共通するデジタルコンテンツに対応付けられた複数の紙書籍の関連付けを行う。
なお、共通するデジタルコンテンツに対応付けられているか否かは、デジタルコンテンツの所在を示すＵＲＬにより判定することができ、図３（１）（２）を参照すると、上述の両デジタルコンテンツのＵＲＬは、共に「ＵＲＬ３」で共通する。
【００５４】
また、複数の紙書籍の関連付けは、他の紙書籍（タイトル情報）に基づくツリー構造へのリンクを表示することで行うこととしてよく、本実施形態では、リンク表示の一例として、図６に示すメニュー１４０を表示することとしている。
図６を参照して、「小説ＸＹＺ」「漫画ＬＭＮ」にも関連するデジタルコンテンツへのリンク情報であるリンク情報１１２に、カーソル３００が合わせられるとメニュー１４０が表示される。このメニュー１４０において、「小説ＸＹＺ」が選択されると「小説ＸＹＺ」をタイトル情報とするツリー構造が表示され、「漫画ＬＭＮ」が選択されると「漫画ＬＭＮ」をタイトル情報とするツリー構造が表示される。
【００５５】
このように、本実施形態では、纏めページ生成手段３１は、複数の紙書籍に共通して対応付けられたデジタルコンテンツを示すリンク情報に対して、他の紙書籍に基づくツリー構造へのリンクを表示するメニューを生成する。そして、このメニューにおいて所定の紙書籍が選択されると、纏めページ生成手段３１は、選択された紙書籍をタイトル情報とする纏めページを生成する。
【００５６】
［紙書籍・デジタルコンテンツ対応関係生成装置１の処理］
続いて、図７を参照して、紙書籍・デジタルコンテンツ対応関係生成装置１により行われる処理の流れについて説明する。
【００５７】
Ｓ１〜Ｓ４：ユーザ端末７から纏めページの表示要求が送信されると（Ｓ１）、纏めページ生成手段３１は、紙書籍管理データベース５１及び関連コンテンツ管理データベース５２から所定の情報を抽出し、纏めページを生成する（Ｓ２）。続いて、纏めページ送信手段４１は、生成した纏めページをユーザ端末７に対して返信し（Ｓ３）、ユーザ端末７に纏めページを表示する（Ｓ４）。
【００５８】
Ｓ５〜Ｓ８：続いて、纏めページに表示されたタイトル情報がユーザに選択されることにより、ユーザ端末７から投稿ページの表示要求が送信されると（Ｓ５）、投稿ページ生成手段３２は、選択されたタイトル情報に対するデジタルコンテンツの投稿ページを生成する（Ｓ６）。続いて、投稿ページ送信手段４２は、生成した投稿ページをユーザ端末７に対して返信し（Ｓ７）、ユーザ端末７に投稿ページを表示する（Ｓ８）。
【００５９】
Ｓ９〜Ｓ１３：続いて、投稿ページにおいて投稿内容の投稿が行われることにより、ユーザ端末７から投稿内容が送信されると（Ｓ９）、関連付け手段３３は、受信した投稿内容に基づいて関連コンテンツ管理データベース５２を更新する（Ｓ１０）。続いて、纏めページ生成手段３１は、更新した関連コンテンツ管理データベース５２に基づいて、投稿内容を反映した纏めページを生成する（Ｓ１１）。その後、纏めページ送信手段４１は、生成した纏めページをユーザ端末７に対して返信し（Ｓ１２）、ユーザ端末７に纏めページを表示する（Ｓ１３）。
【００６０】
［紙書籍・デジタルコンテンツ対応関係生成装置１の効果］
以上のような紙書籍・デジタルコンテンツ対応関係生成装置１によれば、紙書籍を識別する情報（例えば、書籍名、ＩＳＢＮコードなど）をタイトルとして、この紙書籍に対応するデジタルコンテンツが存在するＵＲＬをユーザ端末から受け付けることで、紙書籍に対応するデジタルコンテンツのＵＲＬを自動的に収集する。そして、収集したデジタルコンテンツのＵＲＬを、紙書籍を親ノードとしたツリー構造で表示する纏めページを生成する。
これにより、紙書籍とデジタルコンテンツのＵＲＬとの対応関係の一覧性を有する纏めページをユーザに提供することができる。その結果、紙書籍を閲覧したユーザが対応するデジタルコンテンツを望んだ場合や、反対にデジタルコンテンツを閲覧したユーザが対応する紙書籍を望んだ場合に、ユーザが所望する情報（紙書籍、デジタルコンテンツ）を早期に提供することができ、紙書籍やデジタルコンテンツの新たな流通を生み出すことができる。
このとき、紙書籍・デジタルコンテンツ対応関係生成装置１によれば、デジタルコンテンツに対応する紙書籍が複数存在する場合には、纏めページにおいて両紙書籍の関連付けが行われる。これにより、紙書籍から他の紙書籍へとユーザを促すことができ、他の紙書籍について新たな流通を促すことができる。
【００６１】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６２】
１    紙書籍・デジタルコンテンツ対応関係生成装置
２    要求受付部
２１  纏めページ要求受付手段
２２  投稿ページ要求受付手段
２３  投稿内容受付手段
３    ページ生成部
３１  纏めページ生成手段
３２  投稿ページ生成手段
３３  関連付け手段
４    ページ送信部
４１  纏めページ送信手段
４２  投稿ページ送信手段
５    記憶部
５１  紙書籍管理データベース
５２  関連コンテンツ管理データベース
６    通信ネットワーク
７    ユーザ端末
【図１】
0005133398.tif 000002
【図２】
0005133398.tif 000003
【図３】
0005133398.tif 000004
【図４】
0005133398.tif 000005
【図５】
0005133398.tif 000006
【図６】
0005133398.tif 000007
【図７】
0005133398.tif 000008